【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
被写体を撮影することで得られた多値画像データに基づいて、前記多値画像データに写り込んでいる、撮影環境に起因した陰影成分を推定することにより陰影画像データを生成する生成する第１の生成手段と、
前記第１の生成手段によって生成された前記陰影画像データに含まれる輝度が所定輝度値よりも大きい領域を特定する特定手段と、
前記陰影画像データに対して、前記特定手段によって特定された領域の輝度が小さくなるよう補正を行う補正手段と、
前記多値画像データの注目画素の画素値を、前記補正された陰影画像データにおける前記注目画素と同一座標における画素値に基づき２値化することで、２値画像データを生成する第２の生成手段とを有し、
前記第２の生成手段による前記注目画素の画素値の２値化では、前記補正された陰影画像データにおける前記注目画素と同一座標の画素値に応じて異なる閾値が用いられることを特徴とする情報処理装置。
【請求項２】
被写体を撮影することで得られた多値画像データに基づいて、前記多値画像データに写り込んでいる、撮影環境に起因した陰影成分を推定することにより陰影画像データを生成する生成する第１の生成工程と、
前記第１の生成工程で生成された前記陰影画像データに含まれる輝度が所定輝度値よりも大きい領域を特定する特定工程と、
前記陰影画像データに対して、前記特定工程で特定された領域の輝度が小さくなるよう補正を行う補正工程と、
前記多値画像データの注目画素の画素値を、前記補正された陰影画像データにおける前記注目画素と同一座標における画素値に基づき２値化することで、２値画像データを生成する第２の生成工程と、
を有する画像処理方法であって、
前記第２の生成工程における前記注目画素の画素値の２値化では、前記補正された陰影画像データにおける前記注目画素と同一座標の画素値に応じて異なる閾値が用いられることを特徴とする画像処理方法。
【請求項３】
前記補正工程では、前記特定された領域に対応する画素を、当該画素及び当該画素に隣接する周辺領域を構成するＮ×Ｎ画素の領域のうち、最も暗い画素値に置換する補正を行うことを特徴とする請求項２に記載の画像処理方法。  
【請求項４】
前記補正工程では、前記特定された領域に対応する画素を、前記陰影画像データの平均輝度値に置換する補正を行うことを特徴とする請求項２に記載の画像処理方法。
【請求項５】
前記第２の生成工程は、前記多値画像データの注目画素の輝度成分を示す画素値を、前記補正された陰影画像データの前記注目画素の輝度成分を示す画素値を閾値として二値化する処理を実行するよう構成されており、前記多値画像データの注目画素の輝度成分を示す画素値が当該閾値以上の場合、前記第２の生成工程では、前記多値画像データの前記注目画素から白を示す画素値が生成されることを特徴とする請求項１乃至４のいずれか１項に記載の画像処理方法。
【請求項６】
前記第２の生成工程は、前記多値画像データの注目画素の輝度成分を示す画素値を、前記補正された陰影画像データの前記注目画素の輝度成分を示す画素値を閾値として二値化する処理を実行するよう構成されており、前記多値画像データの注目画素の輝度成分を示す画素値が当該閾値よりも小さい場合、前記第２の生成工程では、前記多値画像データの前記注目画素から黒を示す画素値が生成されることを特徴とする請求項１乃至５のいずれか１項に記載の画像処理方法。
【請求項７】
前記多値画像データは、グレースケールの画像データであることを特徴とする請求項１乃至６のいずれか１項に記載の画像処理方法。
【請求項８】
前記第１の生成工程では、被写体を撮影することで得られた多値画像データをグレースケール画像データに変換する第１処理、及び前記グレースケール画像データの解像度をダウンスケーリングする第２処理、並びに前記２処理の結果得られた当該前記多値データと比較して解像度が低い縮小画像データに基づき、前記撮影環境に起因した陰影成分を推定することにより陰影画像データを生成する第３の処理を行うことで前記陰影画像データを生成し、
前記補正手段により補正された陰影画像データは、アップスケーリングする処理が行われることで、前記多値画像データに対応する解像度に変換され、
前記第２の生成工程では、前記多値画像データに対応する解像度に変換された前記補正された陰影画像データが、前記２値化の処理に供されることを特徴とする請求項１乃至６のいずれか１項に記載の画像処理方法
【請求項９】
前記第２処理では、前記グレースケール画像データのブロック分割を行う処理、当該ブロック分割で分割されたブロックごとに、所定の条件に従って１の画素値を代表値として選択する処理、及び、前記分割されたブロックごとに選択された代表値で構成される前記縮小画像データを生成する処理が行われることを特徴とする請求項８に記載の画像処理方法。
【請求項１０】
前記第３の処理は、前記縮小画像データの注目画素の画素値と、当該注目画素に隣接する周辺画素の画素値に基づき、濃度変化が大きいと判断された注目画素の画素値を前記周辺画素に対応する画素値に基づき補正する処理を少なくとも行って、前記陰影画像データを生成する処理であることを特徴とする請求項９に記載の画像処理方法。
【請求項１１】
前記画像処理方法は、モバイル端末により実行される画像処理方法であり、
前記多値画像データは、前記モバイル端末が備えるカメラによって周囲を撮像することによって得られた画像データであることを特徴とする請求項２乃至１０のいずれか１項に記載の画像処理方法。
【請求項１２】
請求項２乃至１１のいずれか１項に記載の画像処理方法をコンピュータに実行させるためのプログラム。
【請求項１３】
前記プログラムが実行される前記コンピュータは、汎用プロセッシングユニットと、画像処理ユニットを少なくとも有しており、
前記プログラムは、前記コンピュータの前記汎用プロセッシングユニットにより実行されることで、前記汎用プロセッシングユニットと前記画像処理ユニットとが協働した前記画像処理方法を前記コンピュータに実行させることを特徴とする請求項１２に記載のプログラム。
【手続補正２】
【補正対象書類名】明細書
【補正対象項目名】０００５
【補正方法】変更
【補正の内容】
【０００５】
本発明の１つの側面としての情報処理装置は、被写体を撮影することで得られた多値画像データに基づいて、前記多値画像データに写り込んでいる、撮影環境に起因した陰影成分を推定することにより陰影画像データを生成する生成する第１の生成手段と、
前記第１の生成手段によって生成された前記陰影画像データに含まれる輝度が所定輝度値よりも大きい領域を特定する特定手段と、前記陰影画像データに対して、前記特定手段によって特定された領域の輝度が小さくなるよう補正を行う補正手段と、前記多値画像データの注目画素の画素値を、前記補正された陰影画像データにおける前記注目画素と同一座標における画素値に基づき２値化することで、２値画像データを生成する第２の生成手段とを有し、前記第２の生成手段による前記注目画素値の２値化では、前記補正された陰影画像データにおける前記注目画素と同一座標の画素値に応じて異なる閾値が用いられることを特徴とする。
【手続補正３】
【補正対象書類名】明細書
【補正対象項目名】発明の名称
【補正方法】変更
【補正の内容】
【発明の名称】情報処理装置、画像処理方法、プログラム